(57)【要約】【課題】ＩＥＥＥ１３９４バスで接続されている記録再生装置を用いて、ユーザが簡単に受信機内部のデータを復元することの出来るディジタル放送受信機を提供する。【解決手段】ディジタル放送受信機１０は、ユーザから受信機内部データを記録媒体に保存するように指示されると、システムメモリ２に保持している受信機内部データをパケット変換部３にてＴＳパケット（トランスポートストリーム形式のパケット）に変換し、このＴＳパケットを外部の記憶媒体４０へ記録する。また、ユーザから受信機内部データを復元するように指示されると、記憶媒体４０に記録されているＴＳパケットの再生を記録再生機器３０に指示し、再生されたＴＳパケットからパケット変換部３にて受信機内部データを抽出し、システムメモリ２に保存する。【選択図】        図１
2004186958.tif 000002
【特許請求の範囲】
【請求項１】
ディジタル放送受信機の内部に設定されている受信機内部データを、トランスポートストリーム形式のパケットに変換して、ＩＥＥＥ１３９４バスで前記ディジタル放送受信機に接続されている記録再生機器の記憶媒体に記録し、該記憶媒体に記録されたトランスポートストリーム形式のパケットから再生した受信機内部データを、該受信機内部データを再生したディジタル放送受信機の受信機内部データとして設定することを特徴とするディジタル放送受信機の内部データ保存復元方法。
【請求項２】
ディジタル放送受信機の内部に設定されている受信機内部データを暗号化した後、トランスポートストリーム形式のパケットに変換して前記記録再生機器の記憶媒体に記録し、該記憶媒体に記録されたトランスポートストリーム形式のパケットを復号化して受信機内部データを再生し、再生した受信機内部データを、該受信機内部データを再生したディジタル放送受信機の受信機内部データとして設定することを特徴とする請求項１記載のディジタル放送受信機の内部データ保存復元方法。
【請求項３】
ディジタル放送受信機の内部に設定されている受信機内部データを、トランスポートストリーム形式のパケットに変換する際、受信機内部データのフォーマットが変更されているかどうかを識別するためにディジタル放送受信機に設定されているフォーマット識別子を前記受信機内部データに付加して、トランスポートストリーム形式のパケットに変換して前記記録再生機器の記憶媒体に記録し、該記録媒体から再生した受信機内部データを受信機内部データとして設定する際、該記録媒体から再生した受信機内部データに付加されていたフォーマット識別子と該受信機内部データを再生したディジタル放送受信機のフォーマット識別子とを比較し、不一致の場合は、前記記録媒体から再生した受信機内部データを、該受信機内部データを再生したディジタル放送受信機のフォーマットに変換して、受信機内部データとして設定することを特徴とする請求項１または請求項２に記載のディジタル放送受信機の内部データ保存復元方法。
【請求項４】
ＩＥＥＥ１３９４バスで記録再生機器を接続したディジタル放送受信機において、該ディジタル放送受信機は、該ディジタル放送受信機の内部に設定されている受信機内部データを、トランスポートストリーム形式のパケットに変換して前記記録再生機器の記憶媒体に記録する手段を具備することを特徴とするディジタル放送受信機。
【請求項５】
ＩＥＥＥ１３９４バスで記録再生機器を接続したディジタル放送受信機において、該ディジタル放送受信機は、記憶媒体に記録されたトランスポートストリーム形式のパケットから受信機内部データを再生し、再生した受信機内部データを該ディジタル放送受信機の受信機内部データとして設定する手段を具備することを特徴とするディジタル放送受信機。
【発明の詳細な説明】
【０００１】
【発明の属する技術分野】
本発明は、ディジタル放送受信機の内部データ保存復元方法及び内部データの保存復元ができるディジタル放送受信機に関し、より詳細には、ディジタル放送受信機の内部データを、ＩＥＥＥ１３９４バスに接続した記録再生機器の記録媒体に、トランスポートストリーム形式のパケットとして記録し、その記録媒体に記録されたパケットから内部データを再生して設定できるようにしたディジタル放送受信機の内部データ保存復元方法及び内部データの保存復元ができるディジタル放送受信機に関する。
【０００２】
具体的には、ディジタル放送信号をチューナ選局して、選択されたトランスポートストリームをデコードすることにより映像／音声／データ放送番組を得るデコーダを有するディジタル放送受信機で、ユーザの住所やチャネル割り当てなどのディジタル放送受信機内部に設定されている内部データを、ＩＥＥＥ１３９４バスに接続した記録再生機器の記憶媒体にトランスポートストリームとして記録しておき、この記録しておいたトランスポートストリームつまり以前に設定した状態に戻したい時やディジタル放送受信機の取り替えや買い替えを行った際に、前記記憶媒体に記録しておいたトランスポートストリームを再生することで、以前のディジタル放送受信機の内部データを復元できるようにしたディジタル放送受信機の内部データ保存復元方法及び内部データの保存復元ができるディジタル放送受信機に関する。
【０００３】
【従来の技術】
国内では、２００１年のＢＳディジタル放送、２００２年のＣＳ１１０°ディジタル放送やｅＰＦ（ｅ−Ｐｌａｔｆｏｒｍ）、２００３年から予定されている地上波ディジタル放送等の開始に伴い、これらに対応したディジタル放送受信機の開発は、急速に進められている。
これらのディジタル放送では、映像データと音声データは、それぞれ異なったＰＩＤ（パケット識別子）により識別されるパケット単位で構成され、さらに、これらのパケットは、ＩＳＯ／ＩＥＣ１３８１８−１で規定されているトランスポートストリームとしてまとめられて送信される。
ディジタル放送受信機は、受信したトランスポートストリームの中から、映像データと音声データのパケットを分離してデコードすることにより、映像信号と音声信号を取得し、ディスプレイに出力する。
【０００４】
また、ディジタル放送受信機は、ユーザが自分の好みに合わせて設定できるチャネル割り当て変更機能、電子番組表（ＥＰＧ）での番組情報の検索機能、メモリカードへの静止画記録機能など多機能化されており、ディジタル放送受信機内部に保持されるデータ量は、機能の多様化と共に増加している。
例えば、データ放送のないディジタル衛星放送では、ディジタル放送受信機に保持されるデータは、画面の出力フォーマットや字幕ありなし等の限られたシステム設定情報のみであったが、ＢＳディジタル放送では、データ放送番組のゲームポイントやユーザ登録情報、また、次世代の地上波ディジタル放送では、各地域によって異なる受信チャネル情報や、さらには複数のディジタル放送ネットワークへの対応のために設定される情報等、ディジタル放送の発展と共にディジタル放送受信機に保持しなければならない内部データ量は増加している。
【０００５】
ディジタル放送受信機内部に保持している内部データが、誤った操作等で消失した場合や、ディジタル放送受信機が、破損したり老朽化して機器を入れ換えた場合、ユーザが、一般の家電品と同様に、ディジタル放送受信機の再設定や環境の再構築を行なう。しかし、内部データ量は増加しており、また、ディジタル放送受信機の内部データの中には、ユーザの住所やゲームのポイントなど、もう一度入れ直すのに手間や時間のかかるデータもあり、非常に面倒な作業をユーザに強いることになる場合がある。
【０００６】
従来、パソコン等の電子機器内のデータのバックアップや、機器の入れ換えに伴うユーザデータの移行の方法としては、メモリカードなどの記憶媒体を経由した方法や、ネットワークに接続されたサーバでのバックアップ等の方法が用いられている。しかし、これらの方法は、ディジタル放送受信機の基本機能ではなく、使用できない場合が多い。これらの方法を使用するには、追加機能としてコストアップが必要であったり、ユーザ自身では管理できない外部のサーバにデータを置く場合には、セキュリティ上の不安や操作の複雑さが懸念される。
【０００７】
現在、販売されているディジタル放送受信機には、ＩＥＥＥ１３９４端子の付いているものが多数ある。このＩＥＥＥ１３９４は、ディジタルビデオテープレコーダ等の家庭用の電子機器間の接続や、これら電子機器とコンピュータとの間の接続のためのシリアルインタフェースの規格である。ディジタル放送受信機のＩＥＥＥ１３９４端子は、ほとんどの場合、ディジタル放送の番組をトランスポートストリームの形式でディジタル録画することのできるＤＶＨＳ（Ｄａｔａ  Ｖｉｄｅｏ  Ｈｏｍｅ  Ｓｙｓｔｅｍ）方式のビデオテープレコーダやハードディスクを接続するために使用される。
【０００８】
【発明が解決しようとする課題】
従来のディジタル放送受信機は、ディジタル放送受信機の内部データの復旧や、ディジタル放送受信機間で内部データの移行を行う際に、手間がかかる、あるいは、機器のコストアップにつながるといった欠点があった。
【０００９】
本発明は、上述した欠点を解決するために、ディジタル放送受信機にＩＥＥＥ１３９４バスで接続されている記録再生装置の記録媒体に、ディジタル放送受信機の内部データを保存しておくことにより、ユーザ自身が簡単に以前のディジタル放送受信機の内部データを復元することの出来るディジタル放送受信機の内部データ保存復元方法及び内部データの保存復元ができるディジタル放送受信機を提供することを目的とする。
【００１０】
【課題を解決するための手段】
本発明は、ディジタル放送受信機の内部に設定されている受信機内部データを、トランスポートストリーム形式のパケットに変換して、ＩＥＥＥ１３９４バスで前記ディジタル放送受信機に接続されている記録再生機器の記憶媒体に記録し、該記憶媒体に記録されたトランスポートストリーム形式のパケットから再生した受信機内部データを、該受信機内部データを再生したディジタル放送受信機の受信機内部データとして設定することを特徴とする。
【００１１】
また、ディジタル放送受信機の内部に設定されている受信機内部データを暗号化した後、トランスポートストリーム形式のパケットに変換して前記記録再生機器の記憶媒体に記録し、該記憶媒体に記録されたトランスポートストリーム形式のパケットを復号化して受信機内部データを再生し、再生した受信機内部データを、該受信機内部データを再生したディジタル放送受信機の受信機内部データとして設定することを特徴とする。
【００１２】
また、ディジタル放送受信機の内部に設定されている受信機内部データを、トランスポートストリーム形式のパケットに変換する際、受信機内部データのフォーマットが変更されているかどうかを識別するためにディジタル放送受信機に設定されているフォーマット識別子を前記受信機内部データに付加して、トランスポートストリーム形式のパケットに変換して前記記録再生機器の記憶媒体に記録し、該記録媒体から再生した受信機内部データを受信機内部データとして設定する際、該記録媒体から再生した受信機内部データに付加されていたフォーマット識別子と該受信機内部データを再生したディジタル放送受信機のフォーマット識別子とを比較し、不一致の場合は、前記記録媒体から再生した受信機内部データを、該受信機内部データを再生したディジタル放送受信機のフォーマットに変換して、受信機内部データとして設定することを特徴とする。
【００１３】
また、ＩＥＥＥ１３９４バスで記録再生機器を接続したディジタル放送受信機において、該ディジタル放送受信機は、該ディジタル放送受信機の内部に設定されている受信機内部データを、トランスポートストリーム形式のパケットに変換して前記記録再生機器の記憶媒体に記録する手段を具備することを特徴とする。
【００１４】
また、ＩＥＥＥ１３９４バスで記録再生機器を接続したディジタル放送受信機において、該ディジタル放送受信機は、記憶媒体に記録されたトランスポートストリーム形式のパケットから受信機内部データを再生し、再生した受信機内部データを該ディジタル放送受信機の受信機内部データとして設定する手段を具備することを特徴とする。
【００１５】
【発明の実施の形態】
図１は、本発明の一実施例を説明するためのディジタル放送受信機の構成図であり、図中、１はマイクロコンピュータを有するシステム制御部で、ディジタル放送受信機１０全体を制御する。チューナ８は、システム制御部１の指示により選択されたディジタル放送を受信し、トランスポートストリームを出力する。ディジタル放送デコーダ部５は、そのトランスポートストリーム内の映像データと音声データのパケットをデコードし、デコードした映像信号と音声信号を画面出力部６へ出力して、ディスプレイ２０に放送番組を映し出す。
【００１６】
ＩＥＥＥ１３９４バス１１でディジタル放送受信機に接続されている記録再生機器３０の記憶媒体４０に番組を録画する際は、ディジタル放送デコーダ部５は、ディジタル放送番組をトランスポートストリーム形式のパケット（以下、「ＴＳパケット」と略す）として受信機ＩＥＥＥ１３９４制御部４へ出力する。受信機ＩＥＥＥ１３９４制御部４は、システム制御部１からの指示により、このＴＳパケットをＩＥＥＥ１３９４バス１１を通して記録再生機器３０へ送り、記録再生機器３０に記憶媒体４０へ記録するよう指示する。記録再生機器３０の外部ＩＥＥＥ１３９４制御部３１は、記録再生制御部３２を制御し、記憶媒体４０へディジタル放送番組を記録する。
【００１７】
記憶媒体４０に記録されているディジタル放送番組を再生する際には、受信機ＩＥＥＥ１３９４制御部４は、システム制御部１からの指示により、外部ＩＥＥＥ１３９４制御部３１に再生処理を要求する。記憶媒体４０から読み出された信号は、記録再生制御部３２でＴＳパケットとして再生され、外部ＩＥＥＥ１３９４制御部３１は、そのＴＳパケットをＩＥＥＥ１３９４バス１１を通して受信機ＩＥＥＥ１３９４制御部４へ出力する。受信機ＩＥＥＥ１３９４制御部４は、入力されたＴＳパケットをディジタル放送デコーダ部５に出力し、ディジタル放送デコーダ部５がデコードした映像信号と音声信号は、画面出力部６に送られ、ディスプレイ２０に再生番組が出力される。
【００１８】
ユーザのお好みチャネル設定や受信機のシステムデータ等の受信機内部データは、ユーザが設定や操作を行った際に、システムメモリ２に記憶されており、ディジタル放送受信機は、システムメモリ２に記憶したデータにしたがって種々の処理を行う。
【００１９】
ディジタル放送受信機１０は、ユーザから受信機内部データを記録媒体に保存するように指示されると、システムメモリ２に保持している受信機内部データをパケット変換部３にてＴＳパケット（トランスポートストリーム形式のパケット）に変換し、受信機ＩＥＥＥ１３９４制御部４に出力する。システム制御部１は、受信機ＩＥＥＥ１３９４制御部４を通して、上述した放送番組の記録処理と同様に、このＴＳパケットを記憶媒体４０へ記録するよう記録再生機器３０に指示する。
【００２０】
また、ユーザから受信機内部データを復元するように指示された場合は、上述した番組の再生処理と同様に、システム制御部１は、受信機ＩＥＥＥ１３９４制御部４を通して、記録再生機器３０に記録された受信機内部データの再生を指示する。記憶媒体４０から再生されたＴＳパケットは、外部ＩＥＥＥ１３９４制御部３１から受信機ＩＥＥＥ１３９４制御部４に入力される。システム制御部１は、受信機ＩＥＥＥ１３９４制御部４に入力されたＴＳパケットをパケット変換部３に出力するように指示し、パケット変換部３は、入力されたＴＳパケットから記録されていた受信機内部データを抽出する。システム制御部１は、抽出された受信機内部データをシステムメモリ２に保存し、以前のディジタル放送受信機の内部データに復元する。
【００２１】
ディジタル放送受信機の受信機内部データの記録に用いられる記憶媒体４０は、ディジタルテープ、ハードディスク、ＣＤなどの光学メディア等である。
これらの記録媒体には、取り外して持ち運び可能な記録媒体があり、セキュリティ上心配がある場合は、媒体上のデータを暗号化された状態にしておくことにより、セキュリティの強化を図ることができる。そのために、パケット変換部３に暗号化および復号化の機能を持たせる。この場合、ディジタル放送受信機１０は、システムメモリ２に保存している受信機内部データを、パケット変換部３で暗号化した後、ＴＳパケットに変換して記録媒体に記録する。再生時は、再生したＴＳパケットから暗号化された受信機内部データを抽出した後、暗号化されている受信機内部データを復号化して、システムメモリ２に保存する。
【００２２】
また、ディジタル放送受信機の機能強化や操作性改善のために、ディジタル放送受信機のモデルチェンジが行なわれ、それに伴い、システムメモリ２に保存されている受信機内部データの種類やデータ量が変更される場合がある。ディジタル放送受信機が故障し、機器の入れ換えを行なう際、入れ換えた受信機内部データの種類やデータ量が変更されていると、記録媒体から再生した受信機内部データを、そのままシステムメモリ２に設定しても使用できないことが考えられる。これを改善するため、受信機内部データの種類やデータ量の違いを識別するためのフォーマット識別子を新設し、ディジタル放送受信機に設定しておく。フォーマット識別子としては、例えば、機器型名と機器のバージョン番号等の情報を用いれば良い。
【００２３】
受信機内部データを記録媒体に記録する際、ディジタル放送受信機に設定されているフォーマット識別子を受信機内部データに付加して、ＴＳパケットに変換し、記録媒体に記録する。再生時、記録媒体から再生されたフォーマット識別子と再生を行なったディジタル放送受信機のフォーマット識別子とを比較し、不一致の場合は、ＴＳパケットから抽出した受信機内部データを、再生を行なったディジタル放送受信機で使用できるようにフォーマットの変換を行なった後、システムメモリ２に保存する。一致している場合は、変換は不要である。
【００２４】
図２は、ユーザが画面を見ながら内部データを保存あるいは復元するリモコン操作を説明するための図であり、ユーザ２１は、ディスプレイ２０に映し出される受信機データ保存復元メニュー２４からリモートコントローラ２２によって、所望の処理を選択することにより、受信機内部データの保存あるいは復元を実行できる。例えば、受信機内部データを保存する場合は、保存メニューの中の「はい」を選択すれば良い。
【００２５】
図３は、受信機内部データを記録媒体に記録する時の動作を説明するためのフローチャートであり、ディジタル放送受信機１０内のシステム制御部１の処理を中心に記述している。システム制御部１は、ディジタル放送受信機１０が、フォーマット識別子をサポートしているかどうかチェックし（ステップＳ１）、サポートしていない場合は、ステップＳ３へ進み、サポートしている場合は、このディジタル放送受信機のフォーマット識別子をシステムメモリ２内の受信機内部データに追記する（ステップＳ２）。次に、暗号化の機能があるかどうかチェックし（ステップＳ３）、暗号化の機能がない場合は、ステップＳ５へ進み、暗号化の機能がある場合は、パケット変換部３に暗号化を行なうように指示する（ステップＳ４）。システムメモリ２内の受信機内部データをパケット化するようにパケット変換部３に指示し（ステップＳ５）、受信機ＩＥＥＥ１３９４制御部４に記録開始を指示する（ステップＳ６）。受信機ＩＥＥＥ１３９４制御部４が、記録再生機器３０に記録開始を指示すると記憶媒体４０への記録が始まる。システム制御部１は、受信機内部データの送信完了を待って（ステップＳ７）、記録停止を指示して（ステップＳ８）、終了する。
【００２６】
図４は、記録媒体に記録してあった受信機内部データを再生する時の動作を説明するためのフローチャートであり、ディジタル放送受信機１０内のシステム制御部１の処理を中心に記述している。システム制御部１は、復号化の機能があるかどうかチェックし（ステップＳ１０）、復号化の機能がない場合は、ステップＳ１２に進み、復号化の機能がある場合は、パケット変換部３に復号化を行なうように指示する（ステップＳ１１）。次に、パケット変換部３に再生開始を指示した後（ステップＳ１２）、受信機ＩＥＥＥ１３９４制御部４にも再生開始を指示する（ステップＳ１３）。受信機ＩＥＥＥ１３９４制御部４が、記録再生機器３０に再生開始を指示すると記憶媒体４０からＴＳパケットの読み出しが始まり、パケット変換部３は、読み出されたＴＳパケットから受信機内部データを抽出して、システムメモリ２に保存しつつ（ステップＳ１４）、再生完了を待ち（ステップＳ１５）、再生が完了したらステップＳ１６に進む。この時、抽出された受信機内部データが暗号化されていれば、パケット変換部３で復号化を行なった後、システムメモリ２に保存する。
【００２７】
システムメモリ２に保存した受信機内部データの中に、フォーマット識別子が有るかないかチェックし（ステップＳ１６）、フォーマット識別子が無い場合は、システムメモリ２に保存したデータは、フォーマット変換機能の無いディジタル放送受信機で記録された受信機内部データであり、そのまま終了する。フォーマット識別子が有る場合は、システムメモリに読み込んだフォーマット識別子が、そのディジタル放送受信機のフォーマット識別子と一致するかどうかチェックする（ステップＳ１７）。フォーマット識別子が一致する場合は、システムメモリ２に保存したデータは、フォーマット変換不要であり、そのまま終了する。不一致の場合は、記録したディジタル放送受信機の受信機内部データのフォーマットが、再生したディジタル放送受信機の受信機内部データのフォーマットと異なるため、フォーマット変換が必要であり、システムメモリ２内に保存した受信機内部データを、一旦、別のメモリエリアに移した後、フォーマット変換を行なって、元のシステムメモリ２のエリアに保存する（ステップＳ１８）。
【００２８】
【発明の効果】
本発明によれば、ユーザ自身が簡単に、ディジタル放送受信機の内部データをディジタル放送受信機にＩＥＥＥ１３９４バスで接続されている記録再生装置の記録媒体に保存し、その記録媒体から以前のディジタル放送受信機の内部データを復元することが可能となる。
【図面の簡単な説明】
【図１】本発明の一実施例を説明するためのディジタル放送受信機の構成図である。
【図２】ユーザが画面を見ながら内部データを保存あるいは復元するリモコン操作を説明するための図である。
【図３】受信機内部データを記録媒体に記録する時の動作を説明するためのフローチャートである。
【図４】記録媒体に記録してあった受信機内部データを再生する時の動作を説明するためのフローチャートである。
【符号の説明】
１…システム制御部、２…システムメモリ、３…パケット変換部、４…受信機ＩＥＥＥ１３９４制御部、５…ディジタル放送デコーダ部、６…画面出力部、７…リモコン受光部、８…チューナ、１０…ディジタル放送受信機、１１…ＩＥＥＥ１３９４バス、１２…アンテナ、２０…ディスプレイ、２１…ユーザ、２２…リモートコントローラ、２３…画面、２４…受信機データ保存復元メニュー、３０…記録再生機器、３１…外部ＩＥＥＥ１３９４制御部、３２…記録再生制御部、４０…記憶媒体。
【図１】
2004186958.tif 000003
【図２】
2004186958.tif 000004
【図３】
2004186958.tif 000005
【図４】
2004186958.tif 000006